(57)【特許請求の範囲】
【請求項１】
内部の通路において送風により粒剤が搬送される筒状体（３５）と、該筒状体（３５）の所定箇所に設けられ、前記風に搬送された前記粒剤が吐出される少なくとも一つ以上の吐出口（９）と、
該吐出口（９）の縁部内側より前記筒状体（３５）の内部に向けて該吐出口（９）の風下側より風上側に傾斜突設させ、風上側に風入力口（２７）が配設され、風下側が閉鎖された風案内手段（２０）と、
該風案内手段（２０）の前記風入力口（２７）の開閉調節及び該風案内手段（２０）の前記風に対する空気抵抗が調節自在である開閉調節手段（２９、３１、３３）とを備えた粒剤散布噴頭であって、
前記風案内手段（２０）は、前記吐出口（９）の風下側縁部及び／又は前記筒状体（３５）の軸方向左右の左右側縁部の内側となるように風上側に向けて開かれた三角形状縁部（２３）が形成され、前記筒状体（３５）の外壁に沿って配設された底面（２１）と、
該底面（２１）の三角形状縁部（２３）より風下側から風上側に向けて左右対称な少なくとも２枚の平面（２５ａ、２５ｂ）により山形に傾斜突設された突設部（２５）と、
該突設部（２５）の風上側に前記平面（２５ａ、２５ｂ）及び前記筒状体（３５）により形成された風入力口（２７）とを有し、
前記開閉調節手段（２９、３１、３３）は、前記風入力口（２７）及び前記底面（２１）の三角形状縁部（２３）の開口面積を前記筒状体（３５）の軸方向の左及び／又は右から開閉調節可能な操作部（３３）と、
該操作部（３３）による操作により前記筒状体（３５）の外壁に沿って前記底面（２１）が軸方向左及び／又は右に摺動自在の摺動部（２９、３１）とを有することを特徴とする粒剤散布噴頭。
【請求項２】
前記操作部（３３）は、前記底面（２１）の軸方向の左及び／又は右に配設されたツマミ（３３）であり、
前記摺動部（２９、３１）は、前記底面（２１）の三角形状縁部（２３）の三角形状の頂部を中心として、三角形状の底部が軸方向の左及び／又は右に開閉可能なように前記底面（２１）の左及び／又は右に配設されたスライド穴（２９）と、
該スライド穴（２９）と前記筒状体（３５）を貫通するネジ（３１）を備えた請求項１記載の粒剤散布噴頭。
【請求項３】
前記筒状体（３５）の先端には、前記風に搬送された前記粒剤が吐出される先端開口（１１）が配設された請求項１又は請求項２記載の粒剤散布噴頭。
【発明の詳細な説明】
【０００１】
【発明の属する技術分野】
本発明は粒剤散布噴頭に係わり、特に粒剤の均等散布重点作業と到達重点作業がひとつの噴頭で出来、作業範囲が広く、散布精度の高い作業が実現出来る粒剤散布噴頭に関する。
【０００２】
【従来の技術】
図４に従来の薬剤散布装置の構成を示す。図４において、薬剤散布装置１０は、背負式である。薬剤タンク１には、農薬や肥料等の粒剤が入れられている。エンジン３により送風機５が駆動され、この送風機５から送られる風により粒剤が搬送される。
【０００３】
そして、この粒剤は、筒状の噴頭７の下部に配設された吐出口９及び噴頭７の先端に配設された先端開口１１から吐出される。吐出口９は、噴頭７に下方に向かい複数個設けられている。吐出口９には、図示しない風案内部材が噴頭７内部に向けて突設されている。風案内部材の風上側には風入力口が配設され、風に搬送された粒剤は、この風入力口に導かれて吐出口９より外部に出される。
【０００４】
ここに、先端開口１１は、出来るだけ粒剤を遠くへ飛ばすべく主に到達性を担って設けられている。一方、吐出口９は、作業者から先端開口１１による到達点迄の間の散布を出来るだけ均等に行うべく均等性を担って設けられている。
【０００５】
【発明が解決しようとする課題】
しかしながら、従来の薬剤散布装置１０では、風案内部材の空気抵抗により噴頭７の先端に流れる風の量は減り、かつこの風案内部材の突設の影響で、乱流が発生し、粒剤の到達距離を延ばせなかった。
【０００６】
このため、圃場が広い場合には、粒剤の届かない部分を多く生じていた。また、粒剤の到達距離を延ばそうと噴頭７の先端を高く傾斜させると、散布されない場所が多く生じてしまう。
【０００７】
本発明はこのような従来の課題に鑑みてなされたもので、粒剤の均等散布重点作業と到達重点作業がひとつの噴頭で出来、作業範囲が広く、散布精度の高い作業が実現出来る粒剤散布噴頭を提供することを目的とする。
【０００８】
【課題を解決するための手段】
このため本発明（請求項１）は、内部の通路において送風により粒剤が搬送される筒状体（３５）と、該筒状体（３５）の所定箇所に設けられ、前記風に搬送された前記粒剤が吐出される少なくとも一つ以上の吐出口（９）と、該吐出口（９）の縁部内側より前記筒状体（３５）の内部に向けて該吐出口（９）の風下側より風上側に傾斜突設させ、風上側に風入力口（２７）が配設され、風下側が閉鎖された風案内手段（２０）と、該風案内手段（２０）の前記風入力口（２７）の開閉調節及び該風案内手段（２０）の前記風に対する空気抵抗が調節自在である開閉調節手段（２９、３１、３３）とを備えた粒剤散布噴頭であって、前記風案内手段（２０）は、前記吐出口（９）の風下側縁部及び／又は前記筒状体（３５）の軸方向左右の左右側縁部の内側となるように風上側に向けて開かれた三角形状縁部（２３）が形成され、前記筒状体（３５）の外壁に沿って配設された底面（２１）と、該底面（２１）の三角形状縁部（２３）より風下側から風上側に向けて左右対称な少なくとも２枚の平面（２５ａ、２５ｂ）により山形に傾斜突設された突設部（２５）と、該突設部（２５）の風上側に前記平面（２５ａ、２５ｂ）及び前記筒状体（３５）により形成された風入力口（２７）とを有し、前記開閉調節手段（２９、３１、３３）は、前記風入力口（２７）及び前記底面（２１）の三角形状縁部（２３）の開口面積を前記筒状体（３５）の軸方向の左及び／又は右から開閉調節可能な操作部（３３）と、該操作部（３３）による操作により前記筒状体（３５）の外壁に沿って前記底面（２１）が軸方向左及び／又は右に摺動自在の摺動部（２９、３１）とを有することを特徴とする。
【０００９】
筒状体（３５）の内部では、送風により粒剤が搬送される。そして、筒状体
（３５）の所定箇所には吐出口（９）が少なくとも一つ以上設けられ、風に搬送された粒剤がこの吐出口（９）から吐出される。風案内手段（２０）は、吐出口（９）の縁部内側より筒状体（３５）の内部に向けて、吐出口（９）の風下側より風上側に傾斜突設されている。
【００１０】
この傾斜突設の傾斜は、流線型や直線状が望ましいが、風向が屈曲可能であれば形状は問わない。そして、この風案内手段（２０）の風上側には風入力口（２７）が配設され、風下側は閉鎖されている。従って、筒状体（３５）内で風により搬送された粒剤は、風案内手段（２０）の風入力口（２７）より入る。そして、傾斜突設の傾斜によって導かれて吐出口（９）から吐出される。
【００１１】
開閉調節手段（２９、３１、３３）では、風案内手段（２０）の風入力口（２７）の開閉調節及び風案内手段（２０）の風に対する空気抵抗が調節自在である。風案内手段（２０）は、筒状体（３５）の内部に向けて突設されているため、風の抵抗となっている。
【００１２】
この抵抗を小さく抑えられれば、風案内手段（２０）の先端まで風力が衰えずに送風される。従って、この空気抵抗を適度に調節することにより、粒剤を吐出口（９）より均等に散布可能である。風入力口（２７）の開閉調節と空気抵抗の調節は同時に出来るのが操作上望ましい。構造的にも簡単である。
【００１３】
以上により、粒剤の散布バランスが簡単に調節出来、散布精度の高い作業が実現出来る。
【００１４】
さらに、風案内手段（２０）は、筒状体（３５）の外壁に沿って配設された底面（２１）を有している。この底面（２１）には、三角形状縁部（２３）が形成されている。三角形状縁部（２３）は、吐出口（９）の風下側縁部及び／又は噴頭の軸方向左右の左右側縁部の内側となるように配設される。三角形状は、風上側に向けて開かれている。そして、この底面（２１）の三角形状縁部（２３）より突設部（２５）が隆起形成されている。突設部（２５）は、風下側から風上側に向けて、左右対称な少なくとも２枚の平面（２５ａ、２５ｂ）により山形に傾斜突設されている。突設部（２５）の風上側には、これらの平面（２５ａ、２５ｂ）及び筒状体（３５）により風入力口（２７）が形成されている。
【００１５】
また、開閉調節手段（２９、３１、３３）は、風入力口（２７）及び底面（２１）の三角形状縁部（２３）の開口面積を、筒状体（３５）の軸方向の左及び／又は右から開閉調節可能な操作部（３３）を有している。そして、この操作部
（３３）による操作により、筒状体（３５）の外壁に沿って底面（２１）が軸方向左及び／又は右に摺動自在の摺動部（２９、３１）が配設されている。
【００１６】
突設部（２５）の平面（２５ａ、２５ｂ）を左右対称としたことにより、平面同士が操作部（３３）による操作により、合わせやすい。また、三角形状縁部
（２３）の左右も一致させやすい。このため、合わせたときの風の空気抵抗も小さく出来る。
【００１７】
更に、本発明（請求項２）は、前記操作部（３３）は、前記底面（２１）の軸方向の左及び／又は右に配設されたツマミ（３３）であり、前記摺動部（２９、３１）は、前記底面（２１）の三角形状縁部（２３）の三角形状の頂部を中心として、三角形状の底部が軸方向の左及び／又は右に開閉可能なように前記底面
（２１）の左及び／又は右に配設されたスライド穴（２９）と、該スライド穴
（２９）と前記筒状体（３５）を貫通するネジ（３１）を備えて構成した。
【００１８】
ツマミ（３３）、スライド穴（２９）及びネジ（３１）は底面（２１）の左右に配設してもよいし、左右のいずれか一方のみに配設してもよい。一方のみに配設した場合には、他方の底面（２１）は筒状体（３５）の外壁に固着等する。そして、この他方の底面（２１）には、ツマミ（３３）、スライド穴（２９）は設けない。
【００１９】
以上により、簡単な構成で、風入力口（２７）の開閉調節と空気抵抗の調節が同時に行える。また、操作も簡単である。
【００２０】
更に、本発明（請求項３）は、前記筒状体（３５）の先端には、前記風に搬送された前記粒剤が吐出される先端開口（１１）が配設されたことを特徴とする。
【００２１】
先端開口（１１）からも風に搬送された粒剤を吐出させる。各吐出口（９）の操作部（３３）は独自に操作可能である。従って、個々の吐出口（９）からの粒剤の吐出量は連続的に調節可能である。すべての吐出口（９）からの粒剤の吐出量をゼロにした場合には、先端開口（１１）からの風は最も風力が強くなる。
【００２２】
従って、粒剤の到達点も最長になり、作業範囲を広く取れる。また、余り到達点を遠く必要としない場合には、各吐出口（９）の操作部（３３）を適度に調節することにより、粒剤の均等散布が可能である。
【００２３】
このように、粒剤の均等散布重点作業と到達重点作業がひとつの筒状体（３５）で出来、作業範囲が広く、散布精度の高い作業が可能である。また、ひとつの筒状体（３５）での作業範囲が広いことから経済的である。
【００２４】
【発明の実施の形態】
以下、本発明の実施形態を図面に基づいて説明する。本発明の実施形態の斜視構成図を図１に示す。薬剤散布装置１０は従来と同じものを用いている。図１において、筒状体３５の下部には、吐出口９が配設されている。吐出口９は三角形状であり、風の下流側に頂部９ａが、また上流に向かってこの頂部９ａから開くように左右対称に開けられている。そして、吐出口９の三角形状の底部９ｂは、筒状体３５の軸方向と直角に位置している。
【００２５】
風案内部材２０はほぼ三角形状の底面２１を有している。そして、この底面２１は、筒状体３５の外壁に沿って配設するため、筒状体３５の外壁と曲線形状が合うように曲げ加工が施されている。この底面２１には、左右対称の三角形状縁部２３が形成されている。そして、この三角形状縁部２３より隆起するように突設部２５が形成されている。
【００２６】
突設部２５は、風下側から風上側に向けて傾斜突設するように、左右対称な２枚の平面２５ａ、２５ｂにより山形に傾斜突設されている。２つの平面２５ａ、２５ｂにより山形の稜線２５ｃが形成されている。また、底面２１の風上側には、突設部２５を挟んで対称にスライド穴２９ａ、２９ｂが配設されている。
底面２１の左右の風上側の端部は折曲されて、ツマミ３３ａ、３３ｂが形成されている。
【００２７】
突設部２５は、吐出口９より筒状体３５の内部に入れられるようになっている。そして、スライド穴２９ａ、２９ｂを貫通してネジ３１ａ、３１ｂが通され、ネジ３１ａ、３１ｂの先端は、筒状体３５に螺着されている。
【００２８】
また、底面２１の風下側はネジ３１ｃにより、筒状体３５に螺着されている。スライド穴２９ａ、２９ｂは、ネジ３１ａ、３１ｂに案内されて左右に摺動可能なようになっている。突設部２５の風上側には、これらの平面２５ａ、２５ｂ及び筒状体３５により風入力口２７が形成されている。
【００２９】
次に、本発明の実施形態の動作を説明する。
粒剤を均等散布する場合には、図２に示すように、ツマミ３３ａ、３３ｂを左右に開いて風入力口２７を広く開放する。風に搬送された粒剤は、突設部２５により吐出口９に案内されて外部に放出される。
【００３０】
一方、粒剤の到達距離を延ばしたい場合には、図３に示すように、各吐出口９に対応するすべてのツマミ３３ａ、３３ｂを閉じる。このとき、風入力口２７は閉じられ、空気抵抗は最も小さくなる。従って、粒剤は先端開口１１に集中され最も遠くに飛ばされる。
【００３１】
このため、例えば到達距離が要求される圃場において、標準の散布後、到達距離をのばした散布に切り替える等の作業が簡単に行える。また、これらの吐出口９のツマミ３３ａ、３３ｂを個別に調節すれば、一層きめの細かい散布需要に対応させることが可能である。
【００３２】
なお、底面２１の左右の一方を筒状体３５に固着させ、ツマミ３３とスライド穴２９は他方のみに配設するようにしてもよい。
【００３３】
以上により、粒剤の均等散布重点作業と到達重点作業がひとつの噴頭７で出来、作業範囲が広く、散布精度の高い作業が可能である。構造は簡素で部材も少なく、操作も簡単である。
【００３４】
【発明の効果】
以上説明したように本発明によれば、筒状体（３５）に配設された吐出口（９）には風案内手段（２０）と開閉調節手段（２９、３１、３３）を備えて構成したので、粒剤の均等散布重点作業と到達重点作業がひとつの噴頭（７）で出来、作業範囲が広く、散布精度の高い作業が実現出来る。
また、この風案内手段（２０）は突設部（２５）を備え、この突設部（２５）の平面（２５ａ、２５ｂ）を左右対称にしたので、平面同士が操作部（３３）による操作により、合わせやすい。また、三角形状縁部（２３）の左右も一致させやすい。このため、合わせたときの風の空気抵抗も小さく出来る。
【図面の簡単な説明】
【図１】本発明の実施形態の斜視構成図
【図２】風入力口を広く開放したときの様子を示す図
【図３】風入力口を閉じたときの様子を示す図
【図４】従来の薬剤散布装置の構成
【符号の説明】
１  薬剤タンク
３  エンジン
５  送風機
７  噴頭
９  吐出口
１０  薬剤散布装置
１１  先端開口
２０  風案内部材
２１  底面
２３  三角形状縁部
２５  突設部
２５ａ、２５ｂ  平面
２７  風入力口
２９ａ、２９ｂ  スライド穴
３１ａ、３１ｂ  ネジ
３３ａ、３３ｂ  ツマミ
３５  筒状体
【図１】
0003558920.tif 000002
【図２】
0003558920.tif 000003
【図３】
0003558920.tif 000004
【図４】
0003558920.tif 000005